(57)【特許請求の範囲】
【請求項１】
遊技盤の裏面に装着され、遊技盤の遊技領域内に設けられた複数の入賞部品から取り込まれた球を流下させる遊技機のセット板であって、
前記複数の入賞部品は、開閉動作により球の進入を容易又は困難とする開閉体を有する可変入賞部品を含み、
前記セット板は、上下方向に延長し、前記複数の入賞部品から取り込まれた球を下方に誘導する複数の縦通路と、
前記複数の縦通路に連通し、当該複数の縦通路に誘導された球を前記遊技盤の一方側に誘導する横通路とを含み、
前記複数の縦通路のうち少なくとも１つが前記可変入賞部品から取り込まれた球を誘導し、当該縦通路と前記横通路との合流部の傾斜角度が、前記可変入賞部品以外から取り込まれた球を誘導する縦通路と前記横通路との合流部の傾斜角度よりも大きいことを特徴とする遊技機のセット板。
【請求項２】
前記可変入賞部品から取り込まれた球を誘導する縦通路と前記横通路との合流部の底面と対向する整流部を有し、
当該整流部が、前記底面と同一方向に傾斜し、前記底面と前記整流部の下端部との間隔が球２個分の直径よりも狭いことを特徴とする請求項１記載の遊技機のセット板。
【請求項３】
前記合流部の傾斜角度が２５°から３５°の範囲で設定されることを特徴とする請求項１又は請求項２記載の遊技機のセット板。
【発明の詳細な説明】
【技術分野】
【０００１】
本発明は、遊技盤の裏面に装着されるセット板に関し、遊技領域から取り込まれた球が通路内で詰まりを生じることがないセット板の構造に関する。
【背景技術】
【０００２】
従来、遊技機の一例としてのパチンコ遊技機（以下、パチンコ機とする）においては、遊技盤の遊技領域内に打ち出された遊技球（以下、球とする）が所定の始動入賞口に取り込まれることにより所定の確率に基づく抽選を実行し、抽選の結果を示す図柄が所定の形態で揃うことを条件として大当り遊技を実行する第一種遊技機と、遊技盤の遊技領域内に役物と呼ばれる入賞構造体を設け、遊技盤の遊技領域内に打ち出された球が役物内に開設された特定領域（Ｖ入賞領域）内に取り込まれることにより大当り遊技を実行する第二種遊技機とを混合したいわゆる一種二種混合機と呼ばれるパチンコ機の提案がなされている。
【０００３】
特許文献１に示すように、一種二種混合機と呼ばれるパチンコ機は、遊技盤の略中央部に第一の始動入賞口を配設し、当該第一の始動入賞口への入賞を契機として第一の抽選を実行する。第一の抽選の結果が大当りである場合、当該第一の抽選と同時に大当り遊技後の遊技状態を切り替える抽選が行われ、抽選の結果によって大当り遊技後の遊技状態が切り替わる。
大当り遊技後に遊技状態が切り替わった場合、遊技者は遊技盤の右半部に設けられた役物構造体を狙った右打ちと称される遊技が可能となる。右打ち遊技の場合、遊技領域の右半部に打ち出された球が第二の始動入賞口へ入賞すると役物構造体に設けられた羽根部材の開放抽選が実行される。羽根部材が開放状態となった場合、羽根部材から役物構造体内部に取り込まれた球が、内部に設けられた振り分け体により、大当り遊技獲得の契機となる特定領域又は非特定領域に振り分けられる。そして、第二の始動入賞口、役物構造体の特定領域又は非特定領域を通過した球は、遊技盤の裏面に装着されたセット板が有する球通路へと誘導され一箇所に集められた後、機外に排出される。
【０００４】
図８は、従来のセット板に形成された球通路１００の概略図である。同図に示すように球通路１００は、第二の始動入賞口と連通する縦通路１０１と、特定領域と連通する縦通路１０２と、当該特定領域とは異なる非特定領域と連通する縦通路１０３と、これら複数の縦通路１０１；１０２；１０３の下流側において各縦通路１０１；１０２；１０３と連通して形成される横通路１０４とから構成される。そして、第二の始動入賞口或いは役物構造体の内部に取り込まれた球は、遊技盤の裏側に導出された後に、各縦通路１０１；１０２；１０３を流下し、横通路１０４に到達した後に横通路１０４によって一方向に流下する。
しかしながら、特許文献１に示すような遊技機にあっては、遊技の特性上、特に時短遊技中に役物構造体内の非特定領域に一時に大量の球が流入する可能性があることから、縦通路１０３内に連続的に球が連なって流入し、後続の球から加わる球圧により横通路１０４に到達した球が横通路１０４の傾斜方向とは逆方向（上流側）に逆流する虞がある。また、横通路１０４内での逆流の発生により、縦通路１０３と横通路１０４との合流部において後続の球との球噛みが生じ、本来下流側に流下すべき球の球詰まりや、通路内における球溢れが生じる虞もある。
【先行技術文献】
【特許文献】
【０００５】
【特許文献１】特開２０１０−１３１０３８号公報
【発明の概要】
【発明が解決しようとする課題】
【０００６】
そこで、本発明は上記課題を解決すべく、入賞部品により一時に大量に取り込まれた球を誘導する球通路を有するセット板において、球通路内での球詰まり及び球溢れを効果的に防止可能なセット板を提供する。
【課題を解決するための手段】
【０００７】
上記課題を解決するため、本発明の第一の構成として、遊技盤の裏面に装着され、遊技盤の遊技領域内に設けられた複数の入賞部品から取り込まれた球を流下させる遊技機のセット板であって、複数の入賞部品は、開閉動作により球の進入を容易又は困難とする開閉体を有する可変入賞部品を含み、セット板は、上下方向に延長し、複数の入賞部品から取り込まれた球を下方に誘導する複数の縦通路と、複数の縦通路に連通し、当該複数の縦通路に誘導された球を遊技盤の一方側に誘導する横通路とを含み、複数の縦通路のうち少なくとも１つが可変入賞部品から取り込まれた球を誘導し、当該縦通路と横通路との合流部の傾斜角度が、可変入賞部品以外から取り込まれた球を誘導する縦通路と横通路との合流部の傾斜角度よりも大きい構成とした。
本構成によれば、可変入賞部品から取り込まれた球を誘導する縦通路と横通路との合流部の傾斜角度を、可変入賞部品以外から取り込まれた球を誘導する縦通路と横通路との合流部の傾斜角度よりも大きくしたことにより、一時に大量の球が可変入賞部品により取り込まれ、縦通路内に流入した場合であっても、球が合流部の傾斜に沿って速やかに下流側へ誘導されるため、合流部における球詰まり、球噛み及び通路内における球溢れが生じることを確実に防止することができる。
また、本発明に係る第二の構成として、可変入賞部品から取り込まれた球を誘導する縦通路と横通路との合流部の底面と対向する整流部を有し、当該整流部が、底面と同一方向に傾斜し、底面と整流部の下端部との間隔が球２個分の直径よりも狭い構成とした。
本構成によれば、合流部の底面と対向し、同一方向に傾斜して設けられる整流部の下端部と底面との間隔が、球２個分の直径よりも狭いため、球を整流部によって規制しながら一列に整列させた状態で安定的に流下させることが可能となる。
また、本発明に係る第三の構成として、合流部の傾斜角度を２５°から３５°の範囲で設定した。
本構成によれば、球を合流部の傾斜に沿って極めて速やかに下流側へ誘導することができる。
【０００８】
なお、上記発明の概要は、本発明の必要な特徴の全てを列挙したものではなく、特徴群を構成する個々の構成もまた発明となり得る。
【図面の簡単な説明】
【０００９】
【図１】本発明に係るパチンコ機の全体正面図である。
【図２】遊技盤に装着されたセット板の背面図である。
【図３】セット板が有する球通路を示す断面図である。
【図４】縦通路と横通路との合流部を示す拡大断面図である。
【図５】他の実施形態におけるパチンコ機の全体正面図である。
【図６】他の実施形態における可変入賞部品を示す斜視図である。
【図７】他の実施形態におけるセット板が有する球通路を示す断面図である。
【図８】特許文献１に係るセット板が有する従来の球通路の概略図である。
【発明を実施するための形態】
【００１０】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１１】
図１は、遊技機の一例としてのパチンコ機１０の全体正面図である。同図を用いてパチンコ機１０の概略について説明する。なお、本明細書において上下左右方向とは、図１における矢印で表される方向をいうものとする。
パチンコ機１０は、球が打ち出される遊技領域１１Ａを有し、内枠１２に対して着脱自在に取付けられる遊技盤１１と、内枠１２を前後方向に開閉自在に軸支する外枠１３とを備える。遊技盤１１の前方には、内枠１２の前後方向に開閉自在に軸支される窓１２Ａが設けられ、遊技盤１１の前方が閉鎖される。また、パチンコ機１０の下方には、発射ハンドル１４が回転自在に取着され、発射ハンドル１４が遊技者によって回動操作されることにより、図外の打ち出し機構が駆動する。打ち出し機構が駆動すると、上皿構造体１６内に貯留された球が上方に打ち出され、外ガイドレール１８と内ガイドレール１７とで囲繞された遊技領域１１Ａ内に進入する。
【００１２】
遊技盤１１の中央部には、前後方向に開口する取付け開口１９を介して例えば、ＬＣＤ、ＣＲＴ、或いは、回転ドラム式の図外の図柄表示装置が装着される。取付け開口１９の周囲には、取付け開口１９を取り囲むように前方に突出する盤面飾り２０が遊技盤１１に対して複数の固定手段により固着される。盤面飾り２０における一方の傾斜部２０Ａは、左側に向かって下方に傾斜する部分であって、窓１２Ａが閉鎖された状態において当該傾斜部２０Ａよりも前方を球が通過することはなく、球は傾斜部２０Ａに沿って遊技盤１１の左側に誘導される。
【００１３】
傾斜部２０Ａと連接して延長する垂直部２０Ｂには、球が通過可能なワープ通路２１が開設され、当該ワープ通路２１に取り込まれた球は、取付け開口１９の下方において左右方向に延在するステージ２２上に導出される。ステージ２２上に導出された球は、ステージ２２上を左右方向に転動する過程において下方に落下するか、或いはステージ２２の中央部に開設された導出口２２Ａに取り込まれて下方に落下する。
傾斜部２０Ａと連接して傾斜する他方の傾斜部２０Ｃは、右側に向かって下方に傾斜する部分であって、窓１２Ａが閉鎖された状態において当該傾斜部２０Ｃよりも前方を球が通過することはなく、球は傾斜部２０Ｃに沿って遊技盤１１の右側に誘導される。傾斜部２０Ｃと連接して延長する障壁部２０Ｄは、円弧状に窪む壁部と当該壁部と連接し、遊技盤１１の右側に延在するスロープとを有する障壁であって、傾斜部２０Ｃから落下した球は、当該障壁部２０Ｄに沿って落下するか、障壁部２０Ｄに接触することなく落下する。
【００１４】
障壁部２０Ｄよりも下方には、後述の役物構造体４０を構成する通路本体部４１及び羽根部材４２が配設され、上方から落下した球は、遊技盤１１の裏側に配設されるソレノイドにより駆動される羽根部材４２が開放状態中において通路本体部４１内に取り込まれるか、閉鎖状態中において取り込まれずに下方に落下する。
【００１５】
以下、図１及び図２を用いて上記役物構造体４０以外の遊技部品及び球の経路について説明する。
遊技盤１１の遊技領域１１Ａに進入した球は、打ち出しの強さによって傾斜部２０Ａ又は傾斜部２０Ｃにより誘導され、遊技領域１１Ａの左側又は右側を流下する。遊技領域１１Ａの左側を流下する球は、流下する過程において、遊技領域１１Ａ内に植設された図外の多数の遊技釘や風車に衝突しながら誘導され、遊技盤１１の略中央に設けられた中央始動入賞部品２６又は遊技盤１１の下部側方に設けられた複数の一般入賞部品２７に取り込まれ得る。また、中央始動入賞部品２６又は一般入賞部品２７に取り込まれなかった球は、遊技盤１１の中央最下部に開設されたアウト口２８に取り込まれて回収される。ここで、中央始動入賞部品２６又は一般入賞部品２７は、球の受け入れ口の大きさが変化せず、入賞の可能性が一定の固定入賞部品として構成される。
中央始動入賞部品２６、一般入賞部品２７及びアウト口２８により取り込まれた球は、遊技盤１１を前後方向に貫通する導出孔５１により遊技盤１１の裏側に誘導され、遊技盤１１の裏面に装着された後述のセット板５０によって機外に排出される（図２参照）。
【００１６】
図２は、遊技盤１１に装着されたセット板５０の背面図である。
入賞球誘導室、いわゆるセット板５０は、例えばアクリル樹脂により成型された浅い箱状体であって、遊技盤１１の背面を覆うように付設されることにより、遊技盤１１に配設された上記各入賞部品全体をカバーできるようにしている。セット板５０は、各入賞部品からの入賞球を誘導壁を介して受け入れ、後述の各検出センサーが設けられた入賞球通路（球通路）に誘導し、系外に送り出すことができる。
図２において、セット板５０は、遊技盤１１の取付け開口１９と対応し、図外の図柄表示装置が突出する開口部５０Ａを有し、当該開口部５０Ａの周囲を囲むように、複数の内部通路が形成される。
内部通路の内、開口部の一側方に形成された球通路には、遊技盤１１の上部に設けられる図外の球タンク及び賞球払出装置から排出される賞球や貸し球を上皿構造体１６へ導出する賞球払出流路や、球タンク、賞球払出装置の内部に滞留する球をパチンコ機１０の機外へ排出する球抜き流路が形成される。また、開口部５０Ａより下方には、遊技盤１１に配設された複数の入賞部品に取り込まれた球を誘導するための複数の内部通路が形成される。
【００１７】
球が中央始動入賞部品２６の上方に開口する図外の取り込み口から取り込まれた場合、導出孔５１を通過して球通路５２により誘導される。球通路５２は、導出孔５１と対応する取り込み口から球を下方に流下させる通路であって、通路の途中に検出センサー５２Ａが内挿される。そして、中央始動入賞部品２６に取り込まれた球は、検出センサー５２Ａにより検出された後に下流側に配設された図外の球通路に集められ、機外に排出される。
【００１８】
また、球が一般入賞部品２７の上方に開口する図外の取り込み口から取り込まれた場合、各導出孔５１を通過して球通路５３により誘導される。球通路５３は、遊技盤１１上に設けられた複数の一般入賞部品２７と対応する位置に設けられる通路であって、複数の一般入賞部品２７から導出された球を流下させる複数の縦通路と、当該縦通路から流下した球を一括して誘導する横通路とからなり、横通路の最下流部に検出センサー５３Ａが内挿される。そして、一般入賞部品２７に取り込まれた球は検出センサー５３Ａにより一括して検出された後に前記同様に機外に排出される。なお、中央の球通路５２を挟んで球通路５３の反対側に形成された球通路６０については後述する。
【００１９】
球が中央始動入賞部品２６（第一の始動入賞部品）に対応する上述の検出センサー５２Ａにより検出されると、遊技全般の進行を司る主制御装置は、当該検出信号に基づいて、例えば賞球を３個払出す賞球払出処理を実行するとともに、所定の確率による大当り抽選処理を実行する。大当り抽選処理の結果「大当り」となる確率は、例えば３６０分の１として予め設定される。主制御装置は、大当り抽選処理の結果に基づいて取付け開口１９に装着される図外の図柄表示装置に表示される演出用図柄の変動を開始させるとともに、所定時間経過後に大当り抽選処理の結果を報知する態様で演出用図柄を停止させる図柄変動処理を実行する。停止後の演出用図柄は、大当り抽選処理の結果が「大当り」である場合に例えば「７・７・７」のように同一数字や特定のキャラクターを模した図柄が直線状に配列された形態であり、大当り抽選処理の結果が「大当り」以外の「外れ」である場合には、「１・３・５」のような互いに異なる数字やキャラクターを模した図柄が配列された形態である。
【００２０】
主制御装置による大当り抽選の結果が「大当り」であり、かつ、停止後の演出用図柄の態様が「大当り」であることを示す態様で停止した後、大当り遊技開始処理が実行される。
本実施形態において、大当り遊技は遊技盤１１の右側に設けられた大入賞部品２５の開閉扉２５Ａが、遊技盤１１の裏側に配設されたソレノイドにより開放動作されることによって実行される。詳細は後述するが、大入賞部品２５は、開閉扉２５Ａの開閉動作により、球の進入を容易又は困難なものとすることが可能な可変入賞部品である。
【００２１】
大当り遊技終了後には、大当り遊技後の特典である「時短遊技」の有無についての判定が行われ、「時短遊技」有りと判定された場合、以後の遊技は、特典が付与されていない「通常遊技」の場合と比べ、球を遊技盤１１の右側に向かって打ち出す方が大当りを獲得し易くなる。また、「通常遊技」中において獲得した大当り遊技後に遊技状態が「通常遊技」から「時短遊技」となる確率は、例えば２分の１や３分の１程度に設定される。なお、遊技状態の切替は、主制御装置のワークエリアとしてのＲＡＭ内に記憶される時短フラグをＯＮ又はＯＦＦすることにより行われる。
また、球が一般入賞部品２７と対応する検出センサー５３Ａにより検出されると、主制御装置は、当該検出信号に基づいて例えば賞球を３個払出す賞球払出処理を実行する。
【００２２】
遊技領域１１Ａの右側を流下する球は、流下する過程において、遊技領域１１Ａ内に植設された図外の多数の遊技釘や風車に衝突しながら誘導され、球の流下方向に沿って配設された普通図柄始動部品２３を通過、或いは、可変入賞部品として構成された役物構造体４０、サイド始動入賞部品２４（第二の始動入賞部品）、及び大入賞部品２５等の入賞部品に取り込まれ得る。なお、上記各入賞部品に取り込まれなかった球は、アウト口２８により回収される。
【００２３】
普通図柄始動部品２３は、スルーチャッカーと呼ばれる上下開口の門型の通過孔である。主制御装置は、普通図柄始動部品２３内に内挿された図外の検出センサーからの出力信号に基づいて所定の確率によるサイド始動入賞部品２４の開放抽選処理を実行する。当該開放抽選処理の結果「当り」となる確率は、遊技状態に関わらず例えば１０分の９程度に設定され、抽選結果が「当り」であることに基づき後述のサイド始動入賞部品２４のガイド片２４Ｂが駆動する。
【００２４】
サイド始動入賞部品２４は、普通図柄始動部品２３よりも下流側に位置する入賞部品である。サイド始動入賞部品２４は、遊技盤１１から前方に延出する取付け部材により遊技盤１１の表面と球の直径一個分以上の間隔離間して設けられた意匠盤体２４Ａを有する。意匠盤体２４Ａは、遊技盤１１を前後方向に貫通する導出孔５１の前方に配置され、当該導出孔５１と意匠盤体２４Ａの裏面との間にはガイド片２４Ｂが進退自在に設けられる。
具体的には、ガイド片２４Ｂは、遊技盤１１の前後方向に延在する舌片であって、導出孔５１の下縁部に収容される。ガイド片２４Ｂは、遊技盤１１の裏側において連結されたソレノイドの駆動により、導出孔５１内より前方に突出する。そして、ガイド片２４Ｂが遊技盤１１の表面よりも前側に突出したタイミングで球がガイド片２４Ｂ上に乗ることにより、球が導出孔５１内に誘導される。
一方で、ガイド片２４Ｂが導出孔５１内に収容されたタイミングで球が意匠盤体２４Ａの裏側に到達した場合には、導出孔５１に取り込まれることなく意匠盤体２４Ａと遊技盤１１との間を通過して下方に流下する。即ち、サイド始動入賞部品２４は、ガイド片２４Ｂの進退動作により、球の進入を容易又は困難なものとすることが可能な可変入賞部品である。
【００２５】
ガイド片２４Ｂの動作時間及び動作間隔は、現在の遊技状態によって異なる。遊技状態が「時短遊技」以外の「通常遊技」である場合、ガイド片２４Ｂによる球の受け入れ動作は、例えば０．０８８秒間継続し、当該動作が１回で終了する。一方、遊技状態が「時短遊技」である場合、ガイド片２４Ｂによる球の受け入れ動作は、例えば１．７秒間継続し、当該動作が間欠的に３回繰り返された後に終了する。つまり、「通常遊技」中においてサイド始動入賞部品２４の開放抽選処理の結果が「当り」となった場合であっても、ガイド片２４Ｂによる球の受け入れ動作が極めて短時間で終了することから「通常遊技」中に球を右側領域に打ち出しても球が導出孔５１に取り込まれる可能性は極めて低い。
一方、「時短遊技」中においてサイド始動入賞部品２４の開放抽選処理の結果が「当り」となった場合、ガイド片２４Ｂによる球の受け入れ動作が長時間継続し、かつ、複数回繰り返される（ガイド片２４Ｂによる開放時間の延長機能が実行される）ことから「時短遊技」中に球を右側領域に打ち出せば、球が導出孔５１内に取り込まれる可能性が極めて高くなる。
【００２６】
ガイド片２４Ｂによる球の受け入れ動作により、球が導出孔５１内に取り込まれると、主制御装置は、導出孔５１近傍に設けられた入賞検出センサーからの出力信号に基づき、所定の確率による羽根開放抽選処理を実行する。羽根開放抽選処理の結果「当り」となる確率は、遊技状態に関わらず、例えば１．００２５分の１程度に設定され、抽選結果が「当り」であることに基づき、遊技盤１１の裏側に配設されたソレノイドが駆動し、役物構造体４０の通路本体部４１近傍に設けられた羽根部材４２が閉鎖状態から破線で示す開放状態に変位し、遊技盤１１の右側領域に存在する球を通路本体部４１内に受け入れ可能な状態となる。
即ち、本実施形態における役物構造体４０は、羽根部材４２の開閉動作により球の進入を容易又は困難とすることが可能な可変入賞部品である。
【００２７】
役物構造体４０を構成する通路本体部４１と羽根部材４２のうち、通路本体部４１は、羽根部材４２により誘導され内部に取り込まれた球を複数の通路に振り分ける図外の振り分け体を有し、複数の通路のうち、いずれかの通路が大当りを獲得可能な特別領域として形成される。特別領域内には、検出センサーが内挿されており、球が当該検出センサーを通過することにより、主制御装置は大当り遊技を実行する。なお、通路本体部４１内に進入した球が、特別領域に誘導される確率は例えば１０分の１以下に設定されており、当該確率を満たすように遊技盤１１の裏側に配設された振り分け体を駆動するソレノイドが制御される。
つまり、「時短遊技」中においては、「通常遊技」と比較してサイド始動入賞部品２４に対して高い確率で球が取り込まれることにより、羽根部材４２が短い時間間隔で連続的に開放状態となるが、通路本体部４１内に進入した球のうち、殆どの球が特別領域以外の通路（外れ領域）を通過することとなる。また、特別領域又は外れ領域を経た球は、それぞれ個別に開設された遊技盤１１を前後方向に貫通する導出孔５１を通過し、遊技盤１１の裏面に装着されたセット板５０によって誘導された後に機外に排出される。
なお、前記特別領域を通過することにより実行される大当り遊技は、前述の大当り遊技と同様に大入賞部品２５の開閉扉２５Ａが開放動作されることにより実行される。
【００２８】
以下、図３を参照して遊技盤１１の右側領域に配設された可変入賞部品としてのサイド始動入賞部品２４、大入賞部品２５及び役物構造体４０に取り込まれた球の経路について詳説する。図３は、セット板５０の側部に形成された球通路６０を正面からみた断面図である。
同図に示すように球通路６０は、遊技盤１１の上下方向に延長する複数の縦通路６１Ａ乃至縦通路６１Ｃと、縦通路６１Ａ乃至縦通路６１Ｃそれぞれと下流側において連通する横通路６５とから構成される。
縦通路６１Ａ乃至縦通路６１Ｃは、互いに対向して遊技盤１１の前後方向に立ち上がる複数の側壁によりそれぞれ区画されており、各縦通路６１Ａ乃至縦通路６１Ｃが上述の入賞部品から導出された球を個別に流下させる。
【００２９】
縦通路６１Ａは、サイド始動入賞部品２４に対応する通路であって、導出孔５１と対応する取り込み口から球を取り込み、下流側の横通路６５との合流部６０Ａまで誘導する。
縦通路６１Ｂは、役物構造体４０を構成する通路本体部４１の特別領域と対応する通路であって、導出孔５１と対応する取り込み口から球を取り込み、下流側の横通路６５との合流部６０Ｂまで誘導する。
縦通路６１Ｃは、役物構造体４０を構成する通路本体部４１の外れ領域と対応し、クランク状に折曲する通路であって、導出孔５１と対応する取り込み口から球を取り込み、下流側の横通路６５との合流部６０Ｃまで誘導する。また、縦通路６１Ｃには、経路の途中に入賞カウント用の球検出センサーが内挿され、主制御装置は当該検出センサーにより排出個数を計数する。
【００３０】
横通路６５は、遊技盤１１の左右方向に延長する通路であって、通路を形成する底面が一方側に向かって下方に傾斜する。よって、各合流部６０Ａ乃至合流部６０Ｃまで到達した球は、横通路６５の底面の傾斜に沿って遊技盤１１の中央方向に向かって流下する。以下、各合流部６０Ａ乃至合流部６０Ｃの底面について詳説する。
【００３１】
二点鎖線で示される範囲の合流部６０Ａの底面は、例えば水平方向に対して１０°の傾斜角に設定されている。また、図４（ａ）に示すように合流部６０Ｂの底面は、縦通路６１Ｂの幅方向中心を通る仮想線Ｌを境として、その傾斜角度が異なるように設定される。
即ち、合流部６０Ｂにおいて上流側端部から仮想線Ｌまでの傾斜角は、５°として設定され、仮想線Ｌを境として下流側端部までの傾斜角は、１０°として設定されている。
このように、合流部６０Ｂ内で底面の傾斜角を異なる角度として設定すれば、合流部６０Ｂ内において縦通路６１Ｂから流下した球Ｐ１と、横通路６５を流下中の球Ｐ２とが衝突した場合であっても、球Ｐ１の落下の衝撃により、球Ｐ２が５°の傾斜角として設定された底面を遡って上流側に退避するため、球Ｐ１の下流側への流下を妨げることがない。よって、合流部６０Ｂにおいて球詰まりや球噛みが生じることを確実に防止できる。
なお、傾斜角５°とは、球を滑らかに流下させるための必要最小限度の角度であり、当該傾斜角によれば流下中の球が容易に上流側に遡ることが可能である。
【００３２】
図４（ｂ）に示すように、合流部６０Ｃの底面は、合流部６０Ａ及び合流部６０Ｂよりも、より詳細には合流部６０Ａ及び合流部６０Ｂを含む横通路６５の底面の内、最も傾斜が急な水平方向に対して３０°の傾斜角に設定されており、縦通路６１Ｃを経て合流部６０Ｃに到達した球は、底面に着弾した瞬間に、上流側へ遡ることなく勢いよく下流側へ向かって流下することとなる。
また、底面が３０°の急傾斜に設定されていることにより、外れ領域を経て縦通路６１Ｃ内に一時に球が連続した状態で大量に流入し、最下方に位置する球Ｐ１に対して後続の球Ｐ２，Ｐ３の球圧が加わったとしても、球Ｐ１が上流側に遡る逆流が生じることはなく、球Ｐ１乃至球Ｐ３を合流部６０Ｃへの到達の順序通りに下流側へ流下させることが可能となる。そして、球の逆流が確実に防止できることにより、合流部６０Ｃ内における後続の球との球噛みや、球の詰まり、或いは球通路６０内における球の溢れを確実に防止することができる。
なお、本実施例においては、合流部６０Ｃの底面の傾斜角を３０°として設定したがこれに限定されるものではなく、縦通路６１Ｃによって誘導される球の量、即ち、可変入賞部品として構成される役物構造体４０に一時に取り込まれる球の量を勘案して設定すればよい。具体的には、例えば２５°から３５°の範囲のうちから任意の角度に設定すればよい。
【００３３】
合流部６０Ｃの底面と向かい合う壁部６６には、整流部６７が形成される。整流部６７は、向かい合う合流部６０Ｃの底面の傾斜方向と同一方向に傾斜する面を有し、その傾斜角は、合流部６０Ｃの底面の傾斜角よりも急角度に設定される。また、整流部６７の先端面６８と合流部６０Ｃの底面との距離は球１個分の直径よりも大きく、２個分の直径よりも小さく設定される。
上記整流部６７が形成されたことにより、合流部６０Ｃの底面に到達した球が、勢いによって合流部６０Ｃの底面をバウンドして下流側に流下するような場合であっても、バウンドした球を整流部６７によって規制しながら安定的に流下させることが可能となる。
【００３４】
図３に示すように、球通路６０を構成する横通路６５によって下流側に誘導された球は、横通路６５と連通する接続通路６９によって下方に誘導され、集合通路７０に集められた後に図外の球排出桶を通過して機外に排出される。接続通路６９は、横通路６５と集合通路７０とを接続する通路であって、大入賞部品２５の裏側を経由して球を集合通路７０まで誘導する。
集合通路７０は、接続通路６９、大入賞部品２５の排出口と連通する通路であって、球通路６０における最も下流側に位置する通路である。集合通路７０は、遊技盤１１の一方側に向かって下傾斜する底面７０Ａを有し、集合通路７０に集められた球は、下流側に配置された排出口７０Ｂから、図外の球排出樋に向かって排出される。なお、集合通路７０は、遊技盤１１の右側領域に配設された一般入賞部品２７とも連通しており、当該一般入賞部品２７に取り込まれた球も導出孔５１を介して集合通路７０内に集められる。
【００３５】
集合通路７０の底面７０Ａと向かい合う部分には、不正部材進入防止壁７１が形成される。不正防止壁７１は、集合通路７０の排出口７０Ｂと向かい合う壁部７２の上流側の端部から下流側に向かって突出する壁体であって、心無い遊技者の不正な行為によって、排出口７０Ｂを経由して、壁部７２に沿って上流側に向かって挿入されるセルロイドやピアノ線等の不正部材の進入を防止する。
なお、当該効果は、前記整流部６７を有する壁部６６によっても奏される。即ち、前述のとおり壁部６６は、下流側に向かって突出する壁体であるから、例えば接続通路６９を経由して、横通路６５の上流方向に向かって進入しようとする不正部材を進行を確実に阻止することが可能である。
【００３６】
以上説明したとおり、本発明に係るセット板５０は、複数の縦通路６１Ａ乃至縦通路６１Ｃのうち、一時に大量の球が取り込まれる可能性がある可変入賞部品としての役物構造体４０の外れ領域を通過した球を誘導する縦通路６１Ｃと、当該縦通路６１Ｃと横通路６５との合流部６０Ｃの底面を他の合流部６０Ａ，６０Ｂの底面よりも急傾斜として設定したことにより、合流部６０Ｃに大量の球が集中したとしても、合流部６０Ｃの底面に到達した球を逆流させることなく、下流側に速やかに流下させることができる。
【００３７】
以下、セット板５０の他の形態について説明する。上記実施形態においては、一種二種混合機において採用される役物構造体４０の外れ領域に対応する縦通路６１Ｃと横通路６５との合流部６０Ｃを含む球通路６０の構成を例示したが、セット板５０における球通路６０の構成は、遊技機の種別や可変入賞部品の配置場所に応じて適宜変更することが可能であり、セット板５０を一種遊技機に採用することも可能である。
【００３８】
図５は、遊技盤１１の盤面構成を一種遊技機に変更した場合を示すパチンコ機１０の正面図である。同図において、遊技盤１１は、中央に配設される可変入賞部品としての始動入賞部品８０と、始動入賞部品８０の下方に設けられた可変入賞部品としての大入賞部品９０と、大入賞部品９０を挟んで左右方向に離間して配設された複数の一般入賞部品２７とを備える。本実施形態に係る遊技盤１１の遊技は、始動入賞部品８０へ球が取り込まれたことを契機として、前述と同様の大当り抽選処理及び図柄変動処理を実行し、図外の図柄表示装置に表示された停止後の演出用図柄の態様が「大当り」であることを示す態様で停止した後、大当り遊技開始処理が実行される。
本実施形態において、大当り遊技は、始動入賞部品８０の下方に設けられた可変入賞部品としての大入賞部品９０の開閉板９１が遊技盤１１の裏側に配設されたソレノイドにより開放動作されることにより実行される。
【００３９】
図５及び図６（ａ）に示すように、始動入賞部品８０は、遊技盤１１を前後方向に貫通する導出孔８１の前方において球の直径１個分以上離間して配設される前方板８２と、遊技盤１１の表面及び前方板８２間の左右方向において開閉動作する一対の羽根部材８４とを備える。
一対の羽根部材８４は、遊技盤１１を前後方向に貫通するシャフト８５に接続される。また、シャフト８５の後端部には、クランク部８６が設けられ、当該クランク部８６がソレノイド８７のプランジャ８７Ａと接続されるリンク機構８８の一端部に支承されることにより、図中の矢印方向のような開閉動作が可能である。
例えば、主制御装置の制御によってソレノイド８７が通電状態となると、プランジャ８７Ａがスプリングの復元力に抗して上方に吸引され、リンク機構８８の一端部により支承されるクランク部８６が回転し、シャフト８５及びシャフト８５に接続された羽根部材８４が破線で示す開放状態となる。一方、開放状態中においてソレノイド８７の通電を停止すると、スプリングの復元力によって、クランク部８６が逆方向に回転し、シャフト８５及びシャフト８５に接続された羽根部材８４が実線で示す閉鎖状態となる。
【００４０】
始動入賞部品８０の羽根部材８４が閉鎖状態から開放状態に変位した場合、始動入賞部品８０に対して球が容易に取り込まれる。即ち、羽根部材８４が閉鎖状態の場合、遊技盤１１の表面及び前方板８２間に位置する一対の羽根部材８４は、遊技盤１１の表面及び前方板８２の間に設けられる左右の空間を閉塞する状態となり、球の進入経路は前方板８２の上方に限定される。一方、羽根部材８４が開放状態の場合、遊技盤１１の表面及び前方板８２の間に設けられる左右の空間は開放した状態となり、球は、前方板８２の上方のみならず、前方板８２の左右方向からも進入可能となる。即ち、本実施例に係る始動入賞部品８０は、羽根部材８４の開閉動作により球の進入を容易又は困難とする可変入賞部品である。
また、始動入賞部品８０の羽根部材８４の開閉動作は現在の遊技状態によって異なる。遊技状態が「時短遊技」以外の「通常遊技」である場合、羽根部材８４による開放動作は、例えば０．５秒間継続し、当該動作が１回で終了する。一方、遊技状態が「時短遊技」（開放時間延長機能作動中）である場合、羽根部材８４開放動作は、例えば１．７秒間継続し、当該動作が間欠的に３回繰り返された後に終了する。よって、「時短遊技」中においては、始動入賞部品８０に対して大量の球が一時に進入する可能性が高くなる。
【００４１】
図５及び図６（ｂ）に示すように、大入賞部品９０は、遊技盤１１の後方に窪む前方開放の矩形の入賞口９０Ａと対応する形状の開閉板９１を備え、当該開閉板９１が開放動作することにより、球を入賞口９０Ａ内に取り込み可能である。なお、以下の構成は、前述の実施形態に係る大入賞部品２５の構成についても同様である。
開閉板９１は、上方から流下する球を入賞口９０Ａの内側に誘導する板体であって、開放状態中において球が開閉板９１上を転動することにより入賞口９０Ａ内に取り込まれる。また、入賞口９０Ａ内に取り込まれた球は、入賞口９０Ａの底面に開設された導出孔５１からセット板５０側に排出される。
【００４２】
開閉板９１は、略三角形に形成された左右一対の傾動片９２；９２に設けられた回転軸９３を回転中心として遊技盤１１の前後方向に開閉する。回転軸９３は、傾動片９２；９２の表面から遊技盤１１の外側方向に突出する突部であって、入賞口９０Ａを形成する側面に対して回転自在にはめ込まれる。また、一方の傾動片９２は、後側の頂部近傍において外側方向に向かって突出する支軸９４を有し、当該支軸９４が遊技盤１１の裏側に装着されたソレノイド９５と接続されるリンク機構としてのシャフト９６の前端部９６Ａに支持される。そして、主制御装置の制御によってソレノイド９５が通電状態となり、プランジャが上方に引き上げられることにより、シャフト９６が回転自在に軸支された後端部９６Ｂを基点として上方に回転し、上下二股に分かれて形成された前端部９６Ａにより支持された支軸９４が上方に引き上げられ、開閉板９１が前方に開放動作する。
このように、大入賞部品９０の開閉板９１が閉鎖状態から開放状態に変位した場合、入賞口９０Ａ内に球が容易に取り込まれ、導出孔５１を介して大量の球が一時にセット板５０側へ流入することとなる。一方、ソレノイド９５が非通電状態の場合、即ち、開閉板９１が閉鎖状態の場合、開閉板９１が入賞口９０Ａの開口部を完全に閉塞するため、球が入賞口９０Ａ内に進入することはできなくなる。
即ち、本実施例に係る大入賞部品９０は、開閉板９１の開閉動作により球の進入を容易又は困難（阻止）とする可変入賞部品である。
【００４３】
図７（ａ）は、上記可変入賞部品としての始動入賞部品８０及び大入賞部品９０を備えた遊技盤１１の裏面に装着されるセット板５０の球通路６０の構成の一例を示す断面図である。
同図において球通路６０は、前述の実施形態と同様、遊技盤１１の上下方向に延長する複数の縦通路６１Ａ乃至縦通路６１Ｃ及び縦通路６１Ａ乃至縦通路６１Ｃとそれぞれ下流側において連通する横通路６５とから構成される。
【００４４】
本例において、縦通路６１Ａ；６１Ｂは、遊技盤１１の左側部に配設された一般入賞部品２７とそれぞれ対応する通路であって、導出孔５１と対応する取り込み口から球を取り込み、下流側の横通路６５との合流部６０Ａ；６０Ｂまで誘導する。また、縦通路６１Ａ；６１Ｂの途中には、検出センサーが内挿され、主制御装置は当該検出センサーからの出力により、賞球払出処理を実行する。
縦通路６１Ｃは、遊技盤１１の中央部に配設された始動入賞部品８０と対応し、クランク状に折曲する通路であって、導出孔５１と対応する取り込み口から球を取り込み、下流側の横通路６５との合流部６０Ｃまで誘導する。また、縦通路６１Ｃの途中には、検出センサーが内挿され、主制御装置は当該検出センサーからの出力により、賞球払出処理及び大当り抽選処理を実行する。
【００４５】
横通路６５は、遊技盤１１の左右方向に延長する通路であって、通路を形成する底面が一方側に向かって下傾斜する。よって、各合流部６０Ａ乃至合流部６０Ｃまで到達した球は、横通路６５の底面の傾斜に沿って遊技盤１１の中央方向に向かって流下する。以下、合流部６０Ｃの底面について詳説する。
【００４６】
縦通路６１Ｃと横通路６５との合流部６０Ｃの底面は、前述の実施形態と同様に、その傾斜角が合流部６０Ａ及び合流部６０Ｂを含めた横通路６５の底面の内、最も傾斜が急であり水平方向に対して３０°に設定され、縦通路６１Ｃを経て合流部６０Ｃに到達した球は、底面に着弾した瞬間に、上流側へ遡ることなく勢いよく下流側へ向かって流下することとなる。
即ち、可変入賞部品としての始動入賞部品８０と対応する縦通路６１Ｃと、当該縦通路６１Ｃと横通路６５との合流部６０Ｃを固定入賞部品としての一般入賞部品２７と対応する縦通路６１Ａ；６１Ｂと、当該縦通路６１Ａ；６１Ｂと横通路６５との合流部６０Ａ；６０Ｂの傾斜角よりも急な傾斜として設定したことにより、羽根部材８４の開放動作によって、大量の球が一時に進入した場合であっても、合流部６０Ｃ内における後続の球との球噛みや、球の詰まり、或いは球通路６０内における球の溢れを確実に防止することができる。
【００４７】
図７（ｂ）に示す球通路６０は、縦通路６１Ａ乃至縦通路６１Ｄが、それぞれ遊技盤１１の右側部に配設された一般入賞部品２７；２７、始動入賞部品８０及び大入賞部品９０と対応する点、及び、急傾斜として形成された合流部が複数設けられた点で上記実施形態と異なる。なお、縦通路６１Ａ；６１Ｂの構成については、上述の実施形態と同一構成であるので説明を省略する。
本実施形態における縦通路６１Ｃは、遊技盤１１の中央部に配設された始動入賞部品８０と対応し、クランク状に折曲する通路であって、導出孔５１と対応する取り込み口から球を取り込み、下流側の横通路６５との合流部６０Ｃまで誘導する。また、縦通路６１Ｃの途中には、検出センサーが内挿され、主制御装置は当該検出センサーからの出力により、賞球払出処理及び大当り抽選処理を実行する。
また、縦通路６１Ｄは、始動入賞部品８０の直下に配設された大入賞部品９０と対応し、大入賞部品９０の内部に形成された導出孔５１から落下した球を取り込み、下流側の横通路６５との合流部６０Ｄまで誘導する。縦通路６１Ｄの途中には、検出センサーが内挿され、主制御装置は、検出センサーからの出力により、大当り遊技中において取り込まれる球を検出し、例えば球を１５個払出す賞球払出処理を実行する。
【００４８】
横通路６５は、上記縦通路６１Ａ乃至縦通路６１Ｄと連通する通路であって、通路を形成する底面が一方側に向かって下傾斜する。よって、各合流部６０Ａ乃至合流部６０Ｄまで到達した球は、横通路６５の底面の傾斜に沿って遊技盤１１の中央方向に向かって流下する。以下、合流部６０Ｃ；６０Ｄの底面について詳説する。
【００４９】
合流部６０Ｃ；６０Ｄは、その傾斜角が他の合流部６０Ａ及び合流部６０Ｂを含めた横通路６５の底面の内、最も傾斜が急な水平方向に対して３０°に設定されており、縦通路６１Ｃ又は６１Ｄを経て合流部６０Ｃ；６０Ｄに到達した球は、底面に着弾した瞬間に、上流側へ遡ることなく勢いよく下流側へ向かって流下することとなる。また、本例においては、合流部６０Ｃ及び合流部６０Ｄの傾斜角度を同一に設定したが、大入賞部品９０によって取り込まれる球の量は、開閉板９１が開放状態となったときの間口の大きさ、及び、開放時間の関係により、始動入賞部品８０の羽根部材８４が開放状態となったときに取り込まれる球の量よりも多くなることが想定されるため、合流部６０Ｄの傾斜角を合流部６０Ｃの傾斜角よりも大きく設定することが望ましい。
【００５０】
以上、本発明を複数の実施形態を通じて説明したが、セット板５０の構成、特に球通路６０の構成はこれに限られるものではなく、可変入賞部品や固定入賞部品、或いは、他の球を取り込み得る遊技部品の位置、一時に取り込まれる球の量を勘案してその形態を変更、改良し得ることが明らかである。また、そのような多様な変更、改良を加えた形態も本発明の技術的範囲に含まれ得ることが特許請求の範囲の記載から明らかである。
【符号の説明】
【００５１】
１０  パチンコ機、１１  遊技盤、
２４  サイド始動入賞部品、２５  大入賞部品、２５Ａ  開閉扉、
２６  中央始動入賞部品、２７  一般入賞部品、
４０  役物構造体、４１  通路本体部、４２  羽根部材、
５０  セット板、５１  導出孔、５２  球通路、５３  球通路、
６０  球通路、６０Ａ；６０Ｂ；６０Ｃ  合流部、
６１Ａ；６１Ｂ；６１Ｃ  縦通路、６５  横通路、６７  整流部、
７１  不正部材進入防止壁、８０  始動入賞部品、８１  導出孔、８４  羽根部材、
９０  大入賞部品、９０Ａ  入賞口、９１  開閉板。
【図１】
0005635867.tif 000002
【図２】
0005635867.tif 000003
【図３】
0005635867.tif 000004
【図４】
0005635867.tif 000005
【図５】
0005635867.tif 000006
【図６】
0005635867.tif 000007
【図７】
0005635867.tif 000008
【図８】
0005635867.tif 000009